(57)【要約】【課題】効率的に有機過酸が生成される漂白性能に優れた、洗浄剤組成物を提供する。【解決手段】（ａ）無機過酸化物、（ｂ）特定のアルカノイルオキシベンゼン型漂白活性化剤、（ｄ）炭素数４〜２０のアルキル基を有するポリグリセリルアルキルエーテル、及び、（ｅ）脂肪酸又はその塩を含有する洗浄剤組成物。【選択図】なし【特許請求の範囲】
【請求項１】
（ａ）無機過酸化物、（ｂ）分子中に−COOM、-SO3M、及び-OSO3M〔Mは陽イオンを示す。〕から選ばれる基と炭素数５〜２０の炭化水素とを有するアルカノイルオキシベンゼン型漂白活性化剤、（ｄ）炭素数４〜２０のアルキル基を有するポリグリセリルアルキルエーテル、並びに、（ｅ）脂肪酸又はその塩を含有する洗浄剤組成物。
【請求項２】
更に（ｃ）分子中にオキシアルキレン基を持つ非イオン界面活性剤を含有する請求項１記載の洗浄剤組成物。
【請求項３】
（ｂ）成分が、下記の一般式（ｂ１）で表される漂白活性化剤である、請求項１又は２記載の洗浄剤組成物。
【化１】
2008163251.tif 000006
〔式中、R1は炭素数５〜２０の炭化水素基であり、nは１又は０の数であり、Xは-COOM、-SO3M、又は-OSO3Mである。Mは陽イオンを表す。〕
【請求項４】
（ｄ）成分が、下記一般式（ｄ１）で表されるポリグリセリルアルキルエーテルである、請求項１〜３の何れか１項記載の洗浄剤組成物。
R-O-(C3H6O2)n-H    （ｄ１）
〔式中、Rは炭素数６〜２０のアルキル基であり、ｎはグリセリンの縮合度であり、平均で１から１０の数である。〕
【請求項５】
（ｃ）成分を５〜３５質量％含有する、請求項２〜４の何れか１項記載の洗浄剤組成物。
【請求項６】
（ｅ）成分を０．０１〜２０質量％含有する、請求項１〜５の何れか１項記載の洗浄剤組成物。
【請求項７】
（ｆ）（ｅ）成分以外の陰イオン界面活性剤を含有する、請求項１〜６の何れか１項記載の洗浄剤組成物。
【発明の詳細な説明】
【技術分野】
【０００１】
本発明は洗浄剤組成物に関する。
【背景技術】
【０００２】
無機過酸化物を含む洗浄剤組成物に漂白活性化剤を添加し、洗浄中に有機過酸を発生させて洗浄性能を向上させることが、従来提案されている。例えば、特許文献１には、過酸化水素を含有する固形状漂白剤において漂白活性化剤を使用できることが開示されている。
【発明の開示】
【発明が解決しようとする課題】
【０００３】
一般にオキシエチレン基等のオキシアルキレン基（オキシアルカンイル基ともいう。以下、オキシアルキレン基で説明する）を含む非イオン界面活性剤は洗浄性能が高いため、広く洗浄剤組成物に用いられている。しかし、組成物中に、オキシアルキレン基を持つ非イオン界面活性剤を含む場合、無機過酸化物と漂白活性化剤の反応が阻害され、有機過酸による洗浄性能向上効果が著しく低下する事が見出された。
【０００４】
本発明の課題は、効率的に有機過酸が生成され、漂白性能に優れた、洗浄剤組成物を提供することである。特に、オキシアルキレン基を持つ非イオン界面活性剤を含む洗浄剤組成物を提供することである。
【課題を解決するための手段】
【０００５】
本発明は、（ａ）無機過酸化物〔以下、（ａ）成分という〕、（ｂ）分子中に−COOM、-SO3M、及び-OSO3M〔Mは陽イオンを示す。〕から選ばれる基と炭素数５〜２０の炭化水素とを有するアルカノイルオキシベンゼン型漂白活性化剤〔以下、（ｂ）成分という〕、（ｄ）炭素数４〜２０のアルキル基を有するポリグリセリルアルキルエーテル〔以下、（ｄ）成分という〕、並びに、（ｅ）脂肪酸又はその塩〔以下、（ｅ）成分という〕を含有する洗浄剤組成物に関する。
【発明の効果】
【０００６】
本発明によれば、効率的に有機過酸が生成され、漂白性能に優れた、洗浄剤組成物が提供される。
【発明を実施するための最良の形態】
【０００７】
＜（ａ）成分＞
（ａ）成分の無機過酸化物は水中で過酸化水素を発生する物質であり、過炭酸ナトリウム等の過炭酸塩、過ホウ酸ナトリウム等の過ホウ酸塩等が挙げられる。本発明の洗浄剤組成物は、（ａ）成分を、好ましくは０．１〜６０質量％、より好ましくは０．５〜４０質量％、特に好ましくは１〜２０質量％、最も好ましくは２〜１５％含有する。
【０００８】
＜（ｂ）成分＞
本発明の洗浄剤組成物は、漂白効果を向上させる目的から（ｂ）成分として、分子中に−COOM、-SO3M、及び-OSO3M〔Mは陽イオンを示す。〕から選ばれる基と炭素数５〜２０の炭化水素とを有するアルカノイルオキシベンゼン型漂白活性化剤を含有する。
【０００９】
（ｂ）成分としては、下記の一般式（ｂ１）で表される漂白活性化剤が好ましい。
【００１０】
【化２】
2008163251.tif 000002
【００１１】
〔式中、R1は炭素数５〜２０の炭化水素基であり、nは１又は０の数であり、Xは-COOM、-SO3M、又は-OSO3Mである。Mは陽イオンを表す。〕
【００１２】
（ｂ）成分としては、特に炭素数８〜１４、更に炭素数８〜１３のアルカノイル基を有するアルカノイルオキシベンゼンスルホン酸もしくは炭素数８〜１４、更に炭素数８〜１３のアルカノイル基を有するアルカノイルオキシベンゼンカルボン酸又はこれらの塩が好ましい。
【００１３】
（ｂ）成分としては、具体的には、オクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００１４】
これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が漂白効果の点から好ましい。
【００１５】
本発明の洗浄剤組成物は、（ｂ）成分を、好ましくは０．０１〜２０質量％、より好ましくは０．０５〜１０質量％、特に好ましくは０．１〜４質量％含有する。
【００１６】
＜（ｃ）成分＞
本発明の洗浄剤組成物は、（ｃ）成分として、分子中にアルコキシレート基を持つ非イオン界面活性剤を含有することができる。（ｃ）成分としては、一般式（ｃ１）の化合物が好ましい。
Ｒ11−Ｔ−［（Ｒ12Ｏ）a−Ｈ］b        （ｃ１）
〔式中、Ｒ11は、炭素数７〜１８、好ましくは１０〜１６のアルキル基又はアルケニル基であり、Ｒ12は炭素数２又は３のアルキレン基であり、好ましくはエチレン基である。ａは２〜２０、好ましくは４〜１０、特に好ましくは５〜８の数を示す。Ｔは−Ｏ−、−ＣＯＮ−又は−Ｎ−であり、Ｔが−Ｏ−の場合はｂは１であり、Ｔが−ＣＯＮ−又は−Ｎ−の場合はｂは２である。〕
【００１７】
一般式（ｃ１）の化合物の具体例として以下の化合物を挙げることができる。
Ｒ11−Ｏ−（Ｃ2Ｈ4Ｏ）c−Ｈ    （ｃ１−１）
〔式中、Ｒ11は前記の意味を示す。ｃは２〜２０、好ましくは４〜１２、特に好ましくは６〜１０の数である。〕
Ｒ11−Ｏ−（Ｃ2Ｈ4Ｏ）d−（Ｃ3Ｈ6Ｏ）e−Ｈ    （ｃ１−２）
〔式中、Ｒ11は前記の意味を示す。ｄ及びｅはそれぞれ独立に２〜１５、好ましくは２〜１０の数であり、エチレンオキシドとプロピレンオキシドはランダムあるいはブロック付加体であってもよい。〕
【００１８】
【化３】
2008163251.tif 000003
【００１９】
〔式中、Ｒ11は前記の意味を示す。ｆ及びｇの合計は３〜２０、好ましくは３〜１５、特に好ましくは２〜１０の数である。〕
【００２０】
本発明ではこれらの中でも特に（ｃ１−１）及び（ｃ１−２）から選ばれる非イオン界面活性剤が好ましい。
【００２１】
本発明の洗浄剤組成物は、（ｃ）成分を、好ましくは５〜３５質量％、より好ましくは５〜２０質量％、更に好ましくは１０〜１５質量％含有する。
【００２２】
＜（ｄ）成分＞
（ｄ）成分は、炭素数４〜２０のアルキル基を有するポリグリセリルアルキルエーテルであり、炭素数６〜２０のアルキル基を有するポリグリセリルアルキルエーテルが好ましい。特に、下記一般式（ｄ１）で表されるポリグリセリルアルキルエーテルであるのが好ましい。
R-O-(C3H6O2)n-H    （ｄ１）
〔式中、Rは炭素数６〜２０のアルキル基であり、ｎはグリセリンの縮合度であり、平均で１から１０、好ましくは２〜７、更に好ましくは３〜５の数である。〕
【００２３】
本発明の洗浄剤組成物は、（ｄ）成分を、０．１〜５質量％、更に０．１〜３質量％含有することが好ましい。
【００２４】
本発明の洗浄剤組成物において、（ｃ）成分を含有する場合は、（ｃ）成分と（ｄ）成分の質量比は、有機過酸生成率を高める観点から、（ｃ）／（ｄ）で、１０００／１〜１／５０、より１０００／１〜１／５、更に５００／１〜１／１、特に１０／１〜１／１が好ましい。
【００２５】
＜（ｅ）成分＞
（ｅ）成分の脂肪酸又はその塩としては、ミリスチン酸、ミリスチン酸ナトリウム、ミリスチン酸カリウム、パルミチン酸、パルミチン酸ナトリウム、パルミチン酸カリウム、ステアリン酸、ステアリン酸ナトリウム、ステアリン酸カリウム、オレイン酸、オレイン酸ナトリウム、オレイン酸カリウム、リノール酸、リノール酸ナトリウム、リノール酸カリウム、リノレン酸、リノレン酸ナトリウム、リノレン酸カリウム等が挙げられる。これらの中でも、ミリスチン酸ナトリウム、パルミチン酸ナトリウム、ステアリン酸ナトリウム、オレイン酸ナトリウムが好ましい。
【００２６】
（ｅ）成分を配合することにより（ｄ）成分が少量でも有機過酸の生成率を高めることができる。
【００２７】
本発明の洗浄剤組成物は、（ｅ）成分を、０．０１〜２０質量％、更に０．１〜５質量％含有することが好ましい。
【００２８】
＜その他の成分＞
本発明の洗浄剤組成物は、（ｅ）成分以外の陰イオン界面活性剤〔以下、（ｆ）成分という〕を含有することが好ましい。陰イオン界面活性剤としては、分子中に炭素数１０〜１８、好ましくは１０〜１６、特に好ましくは１０〜１５のアルキル基又はアルケニル基と、−ＳＯ3Ｍ基及び／又は−ＯＳＯ3Ｍ基〔Ｍ：対イオン〕を有する陰イオン界面活性剤が好ましい。具体的には上記炭素数を有するアルキルベンゼンスルホン酸、アルキル（又はアルケニル）硫酸エステル、アルキレンオキシド平均付加モル数１〜６のポリオキシアルキレンアルキル（又はアルケニル）エーテル硫酸エステル、オレフィンスルホン酸、アルカンスルホン酸、α−スルホ脂肪酸、α−スルホ脂肪酸エステル及びこれらの塩が好ましい。これらの中でも特に炭素数１０〜１６のアルキル基又はアルケニル基を有するアルキル（又はアルケニル）硫酸エステル、炭素数１０〜１６のアルキル基又はアルケニル基を有し、エチレンオキシド（以下、ＥＯと表記する）平均付加モル数が１〜６、好ましくは１〜４、特に好ましくは１〜３であるポリオキシエチレンアルキル（又はアルケニル）エーテル硫酸エステル、もしくは炭素数１０〜１５のアルキルベンゼンスルホン酸、およびこれらの塩から選ばれる一種以上を配合することが好ましい。塩としては、ナトリウム塩、カリウム塩、アンモニウム塩、アルカノールアミン塩が貯蔵安定性の点から良好である。本発明の洗浄剤組成物は、（ｆ）成分を５〜３５質量％、更に５〜２０質量％含有することが好ましい。
【００２９】
また、本発明の洗浄剤組成物は、アルカリ剤を含有することが好ましい。アルカリ剤としては、炭酸塩、重炭酸塩、ケイ酸塩、オルトケイ酸塩、メタケイ酸塩、結晶性珪酸塩、リン酸塩等が挙げられる。塩としては、ナトリウム塩、カリウム塩等のアルカリ金属塩が好ましい。これらのアルカリ剤は１種類でも、２種類以上の混合物としても用いることができる。具体的には、炭酸ナトリウム、炭酸カリウム、炭酸水素ナトリウム、１号ケイ酸ナトリウム、２号ケイ酸ナトリウム、３号ケイ酸ナトリウム、四ホウ酸ナトリウム、ピロリン酸ナトリウム、トリポリリン酸ナトリウムなどが挙げられる。ここで、結晶性珪酸塩は、２０℃のイオン交換水に０．１質量％分散した分散液の最大ｐＨが１１以上であり、且つこの分散液１ＬのｐＨを１０にするために５ｍｌ以上の０．１Ｎ−ＨＣｌ水溶液を要するアルカリ性物質であり、ゼオライト（結晶性アルミノ珪酸塩）とは区別される。結晶性珪酸塩は層状ものが好ましく、特開平７−８９７１２号公報、特開昭６０−２２７８９５号公報及びPhys.Chem.Glasses.7,p127-p138(1966)、Z.Kristallogr.,129,p396-p404(1969)等に記載されているものを使用できる。0.42Na2O・0.14K2O・SiO2・0.03CaO・0.0005MgOで表される結晶性珪酸塩が好適に用いられる。また、ヘキスト社より商品名「Ｎａ−ＳＫＳ−６」（δ−Ｎａ2Ｓｉ2Ｏ5）として、粉末状、顆粒状のものが入手できる。
【００３０】
また、本発明の洗浄剤組成物は、洗剤用ビルダーとして広く利用されているケイ酸塩化合物（アルカリ剤以外のもの）を含有することができる。かかるケイ酸塩化合物としては、例えば、結晶性又は非結晶性アルミノケイ酸塩やシリケート等が挙げられる。なかでもゼオライトが好ましい。
【００３１】
ゼオライトとしては、式（ｃ１）で表される化合物が好ましく、更に（ｃ２）で表される化合物が好ましい。
【００３２】
ａ(Ｍ2Ｏ)・Ａｌ2Ｏ3・ｂ(ＳｉＯ2)・ｗ(Ｈ2Ｏ)    （ｃ１）
（式中、Ｍはアルカリ金属原子、ａ、ｂ、ｗは各成分のモル比を表し、一般的には０．７≦ａ≦１．５、０．８≦ｂ≦６、ｗは任意の正数を表す。）
Ｎａ2Ｏ・Ａｌ2Ｏ3・ｎ(ＳｉＯ2)・ｍ(Ｈ2Ｏ)      （ｃ２）
（ここで、ｎは１．８〜３の数を表し、ｍは１〜６の数を表す。）
【００３３】
ゼオライトとしては、Ａ型、Ｘ型あるいはＰ型ゼオライトに代表される合成ゼオライトが挙げられる。ゼオライトの好適な平均粒子径は０．１〜１０μｍである。本発明の洗浄剤組成物は、ゼオライトを１〜９０質量％、更に５〜５０質量％、特に１０〜４０質量％含有することが好ましい。
【００３４】
本発明の洗浄剤組成物は金属封鎖剤を含有することができる。金属封鎖剤としては（１）リン酸、トリポリリン酸、フィチン酸から選ばれるリン酸系化合物、（２）エタン−１，１−ジホスホン酸、エタン−１，１，２−トリホスホン酸、エタン−１−ヒドロキシ−１，１−ジホスホン酸、エタンヒドロキシ−１，１，２−トリホスホン酸、エタン−１，２−ジカルボキシ−１，２−ジホスホン酸、メタンヒドロキシホスホン酸から選ばれるホスホン酸、（３）２−ホスホノブタン−１，２−ジカルボン酸、１−ホスホノブタン−２，３，４−トリカルボン酸、畚och −メチルホスホノコハク酸から選ばれるホスホノカルボン酸、（４）アスパラギン酸、グルタミン酸、グリシンから選ばれるアミノ酸、（５）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸から選ばれるアミノポリ酢酸、（６）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキメチル酒石酸から選ばれる有機酸、（７）アミノポリ（メチレンホスホン酸）、またはポリエチレンポリアミンポリ（メチレンホスホン酸）、を挙げることができ、より好ましくは（２）のホスホン酸化合物、（５）のアミノポリ酢酸化合物、（６）の有機酸、及び（７）の化合物が好適である。本発明では特にエタン−１，１−ジホスホン酸、エタン−１，１，２−トリホスホン酸、エタン−１−ヒドロキシ−１，１−ジホスホン酸、クエン酸、エチレンジアミン４酢酸、ジエチレントリアミン５酢酸、エチレンジアミン２酢酸、２−ヒドロキシエチルイミノジ酢酸から選ばれる化合物が最も好ましい。本発明の洗浄剤組成物は、金属封鎖剤を０．０１〜１０質量％、更に０．１〜５質量％含有することが好ましい。
【００３５】
本発明の洗浄剤組成物は、再汚染防止剤（カルボキシメチルセルロース等）、柔軟化剤（ジアルキル型第四級アンモニウム塩、粘土鉱物等）、還元剤（亜硫酸塩等）、蛍光増白剤（ビフェニル型、アミノスチルベン型等）、泡コントロール剤（シリコーン等）、香料、酵素（プロテアーゼ、セルラーゼ、ペクチナーゼ、アミラーゼ、リパーゼ等）等の添加剤を含有させることができる。
【００３６】
また、有機ビルダーとして、（ｅ）成分以外のカルボン酸塩（アミノカルボン酸塩、ヒドロキシアミノカルボン酸塩、ヒドロキシカルボン酸塩、シクロカルボン酸塩、マレイン酸誘導体、シュウ酸塩等）、有機カルボン酸（塩）ポリマー（アクリル酸重合体及び共重合体、多価カルボン酸重合体及び共重合体、グリオキシル酸重合体、多糖類及びこれらの塩等）等を含有することもできる。中でも有機カルボン酸（塩）ポリマーが好ましい。これらビルダーの塩において、対イオンとしては、アルカリ金属塩、アミン類が好ましく、特にナトリウム及び／又はカリウム、モノエタノールアミン、ジエタノールアミンが好ましい。これらのビルダーは、単独で又は２種以上を併用することができる。
【００３７】
また、組成物が粉末状、粒子状である場合の流動性及び耐ケーキング性の観点から、表面改質を行っても良い。表面改質剤としては、ゼオライトを用いることができ、その他に、ケイ酸カルシウム、二酸化ケイ素、ベントナイト、タルク、クレイ、非晶質シリカ誘導体等の珪酸塩化合物、金属石鹸、粉末の界面活性剤等の微粉体、カルボキシメチルセルロース、ポリエチレングリコール、ポリアクリル酸ソーダ、アクリル酸とマレイン酸のコポリマー又はその塩等のポリカルボン酸塩等の水溶性ポリマーが挙げられる。より好ましくはゼオライトである。
【００３８】
本発明の洗浄剤組成物が粉末状である場合、その嵩密度は、３００〜１０００ｇ／Ｌ、更に５００〜９００ｇ／Ｌ、特に６００〜８００ｇ／Ｌであることが好ましい。また、平均粒子径は１５０〜３０００μｍ、更に５００〜１５００μｍ、特に６００〜１２００μｍであることが好ましい。
【００３９】
本発明の洗浄剤組成物は、衣類、寝具等の繊維製品用として好適である。
【実施例】
【００４０】
表１に示す成分を用いて表１に示す洗浄剤組成物を調製し、下記の方法で有機過酸生成率及び洗浄力を評価した。結果を表１に示す。
【００４１】
＜有機過酸生成率の測定方法＞
イオン交換水１Ｌ中に洗浄剤組成物を０．６６６７ｇ入れ、マグネチックスターラーで１０分間撹拌した。その後、１％カタラーゼ水溶液１ｍＬを加えて３分間攪拌した後、２０％硫酸１０ｍＬと１０％ヨウ化カリウム水溶液１０ｍＬを加えて黄色く発色させた。１／５０規定チオ硫酸ナトリウムで黄色の発色が消えるまで滴定を行い、下式により有機過酸生成率（％）を求めた。
【００４２】
【数１】
2008163251.tif 000004
【００４３】
＜洗浄力＞
水道水１Ｌに対して表１に示す洗浄剤組成物０．６６６７ｇを溶解した後、下記の通り調製したほうれん草汚染布５枚を入れ、ターゴトメータを用いて８０回転／分の条件で１０分間洗濯を行った。十分すすいだ後に乾燥させ、下記の式により洗浄率を測定した。
洗浄率（％）＝（洗浄後の反射率−洗浄前の反射率）／（白布の反射率−洗浄前の反射率）×１００
反射率は日本電色工業（株）製ＮＤＲ−１０ＤＰで４６０ｎｍフィルターを使用して測定した。
【００４４】
＊ほうれん草汚染布の調整
市販のほうれん草をミキサーにより粉砕した後、生成した液体部分を木綿布により濾別した。得られた液体０．５ｇを６ｃｍ×６ｃｍの木綿金布＃２０２３上に均一に塗布し、室温で１２時間乾燥させたものを試験に供した。
【００４５】
【表１】
2008163251.tif 000005